(57)【特許請求の範囲】
【請求項１】
被検者の遠用及び近用のアイポイントの位置を測定する眼位置測定装置において、被検者が眼鏡を装用するときのレンズの相当位置に透過型ディスプレイを配置するディスプレイ配置手段と、左右両眼それぞれに対するアイポイントの遠用測定用第一パターンと近用測定用第二パターンを前記ディスプレイに表示する表示制御手段と、前記ディスプレイを通して被検眼に注視させるための注視目標を光学的に所定の遠用距離にして呈示する遠用注視目標呈示光学系と、該遠用注視目標の呈示方向と略同一方向から前記ディスプレイを通して被検眼を検者が観察するための観察光学系と、前記測定用第一パターンを移動させ前記観察光学系により観察される被検眼の視線と測定用第一パターンとを所定の位置関係に置くために検者が操作する検者用操作手段と、前記測定用第二パターンを移動させ被検者の自覚によって被検者の視線と測定用パターンを所定の位置関係に置くために被検者が自ら操作する被検者用操作手段と、前記検者用操作手段の操作信号に基づいて遠用アイポイントを決定し、被検者用操作手段の操作信号に基づいて近用アイポイントを決定するアイポイント決定手段と、該決定された測定値を出力する出力手段とを備え、近用アイポイントの測定時には前記遠用注視目標呈示光学系による注視目標とは別の近業距離の注視目標を被検者に注視させて測定を行うことを特徴とする眼位置測定装置。
【請求項２】
請求項１の眼位置測定装置において、近用アイポイントの測定モードと遠用アイポイントの測定モードを切換える測定モード切換え手段を備えると共に、前記検者用操作手段と被検者用操作手段を共通としたことを特徴とする眼位置測定装置。
【請求項３】
請求項１の眼位置測定装置において、近用アイポイントの測定モードと遠用のアイポイントの測定モードを切換える測定モード切換え手段を備え、前記表示制御手段は遠用の測定モード時には前記測定用第一パターンを点状又はライン状とすると共にその周辺領域に比較して光透過量を少なくし、近用の測定モード時には前記測定用第二パターンを小スポット状の光透過領域とすると共にその周辺領域に比較して光透過量を大きくするように前記ディスプレイの表示を制御することを特徴とする眼位置測定装置。
【請求項４】
請求項１のディスプレイ配置手段は、被検者が装着可能なゴーグルとしたことを特徴とする眼位置測定装置。
【請求項５】
請求項１の眼位置測定装置において、前記遠用注視目標呈示光学系及び前記観察光学系を有する筐体を備え、該筐体は前記ディスプレイと分離可能であり、遠用アイポイントの測定時には前記ディスプレイと筐体とを所定の位置関係に位置合わせする構成としたことを特徴とする眼位置測定装置。
【請求項６】
請求項１の眼位置測定装置において、前記アイポイント決定手段による結果に基づいて遠用アイポイントに対する近用アイポイントの相対的な位置関係を演算する演算手段を備え、前記出力手段は前記演算結果を出力することを特徴とする眼位置測定装置。
【請求項７】
請求項１の眼位置測定装置において、さらに各種累進レンズの遠近アイポイントの位置情報を記憶する記憶手段と、前記アイポイント決定手段による測定結果に基づいて前記記憶手段の情報から遠近アイポイントの位置関係が近似する累進レンズを自動的に選択する選択手段と、該選択結果を出力する選択結果出力手段と、を備えることを特徴とする眼位置測定装置。
【発明の詳細な説明】
【０００１】
【発明の属する技術分野】
本発明は、眼鏡レンズを処方したり加工したりするときの、被検者のアイポイント（視線）の位置を測定する眼位置測定装置に関する。
【０００２】
【従来技術】
眼鏡レンズの加工や眼鏡処方においては、被検者の遠用及び近用でのアイポイントの位置を測定する。
【０００３】
従来、この種の測定は、被検者が水平視した状態でレンズ上の視線位置にマーカペンで印を付けて遠用アイポイント位置を定めたり、アイポイントマークのシールをレンズに貼り、鏡を利用して近用マークの位置と近用距離での瞳の位置を確認するいわゆるミラー法によって行われていた。また、瞳孔間距離を測定するいわゆるＰＤメータでは、遠用注視距離及び近業注視距離での瞳孔間距離をそれぞれ得るようにしたものもある。
【０００４】
【発明が解決しようとする課題】
しかしながら、上記のようにマーカペンで印を付ける方法やシールを貼る方法は、時間が掛かり、被検者と検者の位置関係や検者の経験に依存するところが大きく、測定が不正確になりやすい。
【０００５】
また、ＰＤメーターでは被検者が下方した状態での近用の瞳孔間距離及びその高さ方向の眼位置を正確に測定することができなかった。
【０００６】
本発明は、上記従来技術に鑑み、被検者の遠用及び近用の眼位置（アイポイント）を精度良く迅速に測定できる装置を提供することを技術課題とする。
【０００７】
【課題を解決するための手段】
上記課題を解決するために、本発明は以下のような構成を備えることを特徴とする。
【０００８】
（１）  被検者の遠用及び近用のアイポイントの位置を測定する眼位置測定装置において、被検者が眼鏡を装用するときのレンズの相当位置に透過型ディスプレイを配置するディスプレイ配置手段と、左右両眼それぞれに対するアイポイントの遠用測定用第一パターンと近用測定用第二パターンを前記ディスプレイに表示する表示制御手段と、前記ディスプレイを通して被検眼に注視させるための注視目標を光学的に所定の遠用距離にして呈示する遠用注視目標呈示光学系と、該遠用注視目標の呈示方向と略同一方向から前記ディスプレイを通して被検眼を検者が観察するための観察光学系と、前記測定用第一パターンを移動させ前記観察光学系により観察される被検眼の視線と測定用第一パターンとを所定の位置関係に置くために検者が操作する検者用操作手段と、前記測定用第二パターンを移動させ被検者の自覚によって被検者の視線と測定用パターンを所定の位置関係に置くために被検者が自ら操作する被検者用操作手段と、前記検者用操作手段の操作信号に基づいて遠用アイポイントを決定し、被検者用操作手段の操作信号に基づいて近用アイポイントを決定するアイポイント決定手段と、該決定された測定値を出力する出力手段とを備え、近用アイポイントの測定時には前記遠用注視目標呈示光学系による注視目標とは別の近業距離の注視目標を被検者に注視させて測定を行うことを特徴とする。
【０００９】
（２）  （１）の眼位置測定装置において、近用アイポイントの測定モードと遠用アイポイントの測定モードを切換える測定モード切換え手段を備えると共に、前記検者用操作手段と被検者用操作手段を共通としたことを特徴とする。
【００１０】
（３）  （１）の眼位置測定装置において、近用アイポイントの測定モードと遠用のアイポイントの測定モードを切換える測定モード切換え手段を備え、前記表示制御手段は遠用の測定モード時には前記測定用第一パターンを点状又はライン状とすると共にその周辺領域に比較して光透過量を少なくし、近用の測定モード時には前記測定用第二パターンを小スポット状の光透過領域とすると共にその周辺領域に比較して光透過量を大きくするように前記ディスプレイの表示を制御することを特徴とする。
【００１１】
（４）  （１）のディスプレイ配置手段は、被検者が装着可能なゴーグルとしたことを特徴とする。
【００１２】
（５）  （１）の眼位置測定装置において、前記遠用注視目標呈示光学系及び前記観察光学系を有する筐体を備え、該筐体は前記ディスプレイと分離可能であり、遠用アイポイントの測定時には前記ディスプレイと筐体とを所定の位置関係に位置合わせする構成としたことを特徴とする。
【００１３】
（６）  （１）の眼位置測定装置において、前記アイポイント決定手段による結果に基づいて遠用アイポイントに対する近用アイポイントの相対的な位置関係を演算する演算手段を備え、前記出力手段は前記演算結果を出力することを特徴とする。
【００１４】
（７）  （１）の眼位置測定装置において、さらに各種累進レンズの遠近アイポイントの位置情報を記憶する記憶手段と、前記アイポイント決定手段による測定結果に基づいて前記記憶手段の情報から遠近アイポイントの位置関係が近似する累進レンズを自動的に選択する選択手段と、該選択結果を出力する選択結果出力手段と、を備えることを特徴とする。
【００１５】
【発明の実施の形態】
以下、本発明の実施の形態を図面に基づいて説明する。図１は本発明に係る装置の外観構成を示す図であり、図２は光学系、図３は制御系の構成を示す図である。
【００１６】
１は被検者６１が装着するゴーグルである。ゴーグル１は、左右両眼をカバーする大きさを持つ液晶パネル２、液晶パネル２の両側から延びる耳掛け用の２つのテンプル５、液晶パネル２の中央下部に取り付けられた鼻当て部６、液晶パネル２を駆動する液晶駆動基板３、装置本体１０との位置合わせのために液晶パネル２の上部に設けられたキー４を備える。液晶パネル２は、透過及び遮光の表示をマトリクス形式で自在にできる透過型のディスプレイで構成されているが、その構成や制御自体は本発明の特徴は無く、周知のものが使用できるので説明は省略する。被検者はこのゴーグル１を眼前に装着することにより、眼鏡を装用したときのレンズの相当位置に液晶パネル２のディスプレイ面が配置される。
【００１７】
装置本体１０の筐体上面には測定結果を表示する表示部１１、測定モード（遠用及び近用のアイポイント測定モード）を切換えるスイッチ等を持つスイッチ部１２、液晶パネル２上に表示される左眼及び右眼測定用のグラフィックパターン（後述する）をそれぞれ左右方向に移動するための左右操作ノブ１３ａ，１３ｂが備えられている。装置本体１０の両側側面には、その測定用のパターンをそれぞれ上下方向に移動するための上下操作ノブ１４ａ，１４ｂが備えられている。
【００１８】
また、ゴーグル１に対向させる装置本体１０の前側上部には、前側に突出する部分を持つ額当て１７が固着されている。その額当て１７の突出部の下面には、ゴーグル１（液晶パネル２）と装置本体１０とを所定の位置関係に合せるべく、液晶パネル２上部のキー４に嵌合させる２つのキー溝１５が形成されている。
【００１９】
また、ゴーグル１に対向させる装置本体１０の筐体前側面１０ａは開口窓となっており、開口窓を介して筐体内部に呈示される視標の呈示及び検者による被検者眼の観察を行う。装置本体１０の筐体下部には折りたたみ可能な足１８が設けられている。ゴーグル１とは通信ケーブル１６により接続されている。
【００２０】
図２は装置本体１０の内部に配置される光学系を示す図である。２１は視標照明用ランプ、２２はスポット開口を持つ視標板であり、ランプ２１は注視目標となる視標板２２を背後から照明する。２３はハーフミラー、２４は凸レンズであり、被検者６１が両眼で視標板２２を注視できる大きさを持つ。また、視標板２２は凸レンズ２４の焦点位置に配置され、被検眼に無限遠の注視目標を呈示する。これらにより注視目標呈示光学系が構成される。なお、凸レンズ２４を移動させて、有限距離（例えば、５ｍ）の遠用注視目標を呈示する構成としても良い。
【００２１】
また、ハーフミラー２３の後方には接眼レンズ２５が備えられており、検者眼６２Ｅは凸レンズ２４、ハーフミラー２３、接眼レンズ２５からなる観察光学系を介することにより、注視目標の呈示方向と同じ方向から液晶パネル２を通して被検眼の瞳孔（視線方向）を観察することができる。
【００２２】
図３は本装置の制御系ブロック図を示す。３０は本装置の制御部であり、制御部３０はスイッチ部１２及び各操作ノブ１３ａ，１３ｂ，１４ａ，１４ｂからの操作信号に基づいて、液晶パネル２及び表示部１１の表示を制御する。３１は市販の累進レンズの遠用アイポイントと近用ポイントの位置関係の情報等を記憶する書換え可能なメモリである。
【００２３】
次に、本装置による遠用及び近用眼位置の測定について説明する。
【００２４】
まず、遠用眼位置の測定について説明する。被検者６１にはゴーグル１を掛けてもらう。検者は装置本体１０のスイッチ部１２の遠用スイッチ１２ａを押して、遠用眼位置の測定モードにする。この測定では被検眼の遠用アイポイントを他覚的に測定するために、図４（ａ）の様に、検者６２は装置本体１０を両手でもち、キー溝１５を被検者６１が掛けているゴーグル１側のキー４に合わせることにより合体させ、装置本体１０内部の光学系をゴーグル１とを所定の位置関係にすると共に、額当て１７を被検者６１の額に当て、装置本体１０を安定させる。
【００２５】
スイッチ１２ａによって遠用モードを設定すると、図５（ａ）に示すように、制御部３０の制御によって液晶パネル２には小ドットの遮光領域を持つ右眼測定用パターン５１Ｒと左眼測定用パターン５１Ｌが表示される（パターン５１Ｒ、５１Ｌはその周辺領域に比較して光透過量が少なくされる）。なお、遠用測定用の表示パターンは点状にする他、十字線のようにラインパターンであっても良く、また、表示パターンを点滅させることにより、パターンが視標板２２上に重なっても視標を注視しやすくしても良い。被検者眼には液晶パネル２の透過領域を通して、装置本体１０内部で光学的に遠用距離に置かれた視標板２２を注視してもらう。この状態で検者は液晶パネル２を通して観察される被検者左眼の瞳孔中心（視線位置）にパターン５１Ｌを合せるように、左右操作ノブ１３ａ、上下操作ノブ１４ａを操作する。制御部３０は左右操作ノブ１３ａの操作信号の入力にしたがってパターン５１Ｌを左右に、上下操作ノブ１４ａの操作信号の入力にしたがってパターン５１Ｌを上下に移動するように、液晶パネル２の表示を制御する。こうして被検者左眼の遠用眼位置が他覚的に決定される。
【００２６】
右眼の遠用眼位置測定についても同様に、検者は被検者右眼とパターン５１Ｒを観察しながら、左右操作ノブ１３ｂ、上下操作ノブ１４ｂを操作し、パターン５１Ｒを液晶パネル２上で上下左右に移動して、遠用眼位置を決定する。
【００２７】
また、制御部３０は各ノブの操作信号に従って、表示部１１に左眼の片眼遠用ＰＤ（瞳孔間距離）値７０、右眼の片眼遠用ＰＤ値７１、遠用両眼ＰＤ値７２、左眼遠用眼位置高さに対する右眼遠用眼位置高さの差７３を表示（出力）する（図３参照）。
【００２８】
遠用眼位置の測定ができたら、次に近用眼位置測定に移る。この測定は被検者の自覚に基づいて行うため、図４（ｂ）に示す如く、ゴーグル１から装置本体１０を分離し、被検者６１が各ノブを操作しやすいように足１８を立てて装置本体１０をテーブル等に置く。また、被検者には自己の近用作業状態の姿勢で、別に用意された近用アイポイント測定用の注視目標４１、例えば、紙に書かれた文字等を自分の所望する近業距離に置いてもらい、液晶パネル２を通して下方視の状態でこれを注視してもらう。
【００２９】
スイッチ１２ｂによって近用モードを設定すると、図５（ｂ）に示すように、制御部３０の制御によって液晶パネル２には３ｍｍ程の小スポット状の光透過領域を持つ右眼測定用のパターン５２Ｒ、左眼測定用のパターン５２Ｌが表示される（パターン５２Ｒ、５２Ｌはその周辺領域に比較して光透過量が大きくされる）。この状態で、被検者６１はパターン５２Ｌを通して左眼で視標４１を見ることができるように、自ら左右操作ノブ１３ａ、上下操作ノブ１４ａを操作する。また、パターン５２Ｒを通して右眼で視標４１を見ることができるように、左右操作ノブ１３ｂ、上下操作ノブ１４ｂを操作する。各ノブの操作信号に従って、パターン５２Ｌ、５２Ｒをそれぞれ左右上下に移動するように、液晶パネル２の表示を制御する。こうして被検者の自覚による下方視での近用眼位置が、精度良く決定される。
【００３０】
また、制御部３０は各ノブの操作信号に従って、図３に示す如く、表示部１１に左眼の片眼近用ＰＤ値７４、右眼の片眼近用ＰＤ値７６、近用両眼ＰＤ値７７を表示すると共に、遠用眼位置に対する近用眼位置の位置関係を演算して、左眼の遠用眼位置に対する左眼の近用下げ量７５、左眼の片眼遠用ＰＤ値７０から片眼近用ＰＤ値７４を引き算した左眼の鼻側内寄せ量７９、右眼の遠用眼位置に対する右眼の近用下げ量７８、右眼の片眼遠用ＰＤ値７１から片眼近用ＰＤ値７６を引き算した右眼の鼻側内寄せ量８０を表示（出力）する。
【００３１】
なお、測定パターンを移動するために被検者が操作するノブは、被検者専用のものを設けてもよいが、装置本体１０の各操作ノブ１３ａ，１３ｂ，１４ａ，１４ｂを共通で使用することにより、装置構成を簡素化できる。
【００３２】
以上のようにして決定した遠用及び近用眼位置の状態を被検者が確認したい場合は、確認スイッチ１２ｃを押す。このスイッチ信号が入力されると、図５（ｃ）に示す様に、前述の各測定で得られた遠近左右のパターン５１Ｒ，５１Ｌ，５２Ｒ，５２Ｌが透過領域に、その他の領域が遮光状態に制御部３０の制御によって切換えられる。これにより、被検者は周りの遠くや近くの景色をそれぞれの眼位置で観察することができる。
【００３３】
また、遠用及び近用眼位置が得られれば、これを基に遠近ポイントの位置関係をいろいろ変えて設計された累進レンズを選択することができる。例えば、最近では図６に示すように、累進レンズ９０において遠用フィッティングポイント９１に対する近用位置９２が８ヵ所設定されたレンズもあり、その中から被検者に合ったものを選択する。つまり、遠用フィッティングポイント９１に対する近用の鼻側への内寄せ量９３、累進帯の長さ９４と、測定して求めた近用下げ量７５、７８、鼻側内寄せ量７９、８０とを比較して最適な累進レンズを選択できるわけである。この様に、累進レンズの選択においては、本実施の形態で述べた眼位置測定装置を使えば短時間に簡単に行なうことができる。
【００３４】
なお、メモリ３１には市販されている各種累進レンズの遠用及び近用ポイントの位置関係の情報を多数記憶しておき、最も適切なものが制御部３０によって自動的に選択されるようにすることができる。例えば、確認スイッチ１２ｃ（又は専用のスイッチを設けても良い）が押されると、制御部３０は測定結果の遠用眼位置に対する近用眼位置の位置関係が最も近似する累進レンズをメモリ３１に記憶されているものから選び出し、左右眼毎に累進レンズのメーカ名とそのモデル名等を選定累進レンズ８１として表示させる（図３参照）。これにより、被検者に最もあった累進レンズをカタログなどから探し出すこと無く簡単に選定することができる。
【００３５】
また、図３では選定された累進レンズを左右それぞれ一種類づつ表示しているが、測定した遠用眼位置に対する近用眼位置の位置関係が最も近似する累進レンズが、累進幅が広いスポーツタイプや近用重視の読書タイプ等の累進レンズのタイプの違いにより複数ある場合や、累進レンズのメーカーの違いにより複数ある場合は、全ての近似する累進レンズを表示させても良い。
【００３６】
また、図示なきパソコン等の外部装置から図示なき通信ポートを通して、新規の累進レンズデータを制御部３０を介してメモリ３１に入力して、最新のレンズ情報をメモリ３１に蓄えておく様にしても良い。
【００３７】
【発明の効果】
以上説明したように、本発明によれば、被検者の遠用及び近用の眼位置を精度良く迅速に測定することができる。すなわち、近用の眼位置は被検者が下方した状態で被検者の自覚に基づいて決定されるので、正確な測定結果を得ることができる。遠用の眼位置は検者が観察して他覚的に行うので、迅速に測定すことができ、強度近視の被検者の場合であっても手間どることなく、正確な結果が得られやすくなる。
【００３８】
また、適切な累進レンズを容易に選定することができる。
【図面の簡単な説明】
【図１】本発明に係る装置の外観構成を示す図である。
【図２】本発明に係る装置の光学系の構成を示す図である。
【図３】本発明に係る装置の制御系の構成を示す図である。
【図４】遠用眼位置及び近用眼位置測定における被検者の視標観察状態を示す図である。
【図５】ゴーグルの液晶部に写される遠用ポイント及び近用ポイントを示す図である。
【図６】累進レンズの遠用ポイント及び近用ポイントを示す図である。
【符号の説明】
１  ゴーグル
２  液晶パネル
３  液晶駆動基板
１０  装置本体
１１  表示部
１２  スイッチ部
１３ａ，１３ｂ  左右操作ノブ
１４ａ，１４ｂ  上下操作ノブ
２１  ランプ
２２  視標板
２３  ハーフミラー
２４  凸レンズ
２５  接眼レンズ
３０  制御部
３１  メモリ
５１Ｒ，５１Ｌ  測定用パターン
５２Ｒ，５２Ｌ  測定用パターン
【図１】
0004349709.tif 000002
【図２】
0004349709.tif 000003
【図３】
0004349709.tif 000004
【図４】
0004349709.tif 000005
【図５】
0004349709.tif 000006
【図６】
0004349709.tif 000007